(57)【要約】【課題】  冬季において机を使用する際、特別な机用暖房装置を用いることなく、足元等の冷えを防ぐことができる机を提供すること。【解決手段】  机の背面及び両脇側面の少なくとも１の部位の床面との間に開口部を有する机において、この各開口部の床面を基点とする上方向の一部又は全部を遮蔽する昇降若しくは着脱自在の幕板又は垂幕を設けてなる机である。【選択図】  図２
2005288095.tif 000002
【特許請求の範囲】
【請求項１】
机の背面及び両脇側面の少なくとも１の部位の床面との間に開口部を有する机において、この各開口部の床面を基点とする上方向の一部又は全部を遮蔽する昇降若しくは着脱自在の幕板若しくは垂幕を設けてなる机。
【請求項２】
上記幕板又は垂幕が可撓性材料からなる請求項１記載の机。
【請求項３】
上記開口部の床面を基点とする上方向１５〜５０ｃｍを遮蔽する幕板又は垂幕を設けてなる請求項１又は２記載の机。
【請求項４】
机の背面及び両脇側面の少なくとも１の部位の床面との間に開口部を有する机において、この各開口部の床面を基点とする上方向の一部又は全部を遮蔽する幕板若しくは垂幕。
【請求項５】
上記幕板又は垂幕が可撓性材料からなる請求項４記載の幕板又は垂幕。
【請求項６】
上記開口部の床面を基点とする上方向１５〜５０ｃｍを遮蔽する請求項４又は５記載の幕板又は垂幕。
【発明の詳細な説明】
【技術分野】
【０００１】  本発明は、椅子に腰を掛けて用いる机（以下単に「机」ということもある。）、例えば、事務机、学習机、作業机等に関し、特に、冬季での使用に際し、足元等の冷えを防止する机に関する。
【背景技術】
【０００２】  冬季の暖房室内において、机を使用するに際しては、足元等が暖かく、頭部が涼しい環境が好適である。ところが、この室内では、対流によって、暖かい空気は上方に、冷たい空気は下方に向かって流れ、このため、特に足元等が冷えてデスクワーク等の効率が低下する。
このような足元等の冷えを解消するために、机の脚収容空間部の上方に赤外線による足元暖房装置を備えたもの（例えば、特許文献１参照）、机の幕板の前面（背面）又は天板の下面に面状発熱ユニットを備えた情報処理装置用机（例えば、特許文献２参照）等が提案されている。【０００３】
【特許文献１】特開２００１−４１５８８号公報
【特許文献２】特開平１０−２０１５４６号公報
【０００４】  しかしながら、これらの机に備えられた暖房装置では、かなりの電力を消費し、省エネ上、問題がある。
【発明の開示】
【発明が解決しようとする課題】
【０００５】  本発明は、上記の問題点を解消しようとするものであって、冬季において机を使用する際、特別な机用暖房装置を用いることなく、足元等の冷えを防ぐことができる机を提供することを目的とするものである。
【問題を解決するための手段】
【０００６】  本発明者らは、上記問題点を解消すべく鋭意検討した結果、先ず、冬季の暖房室内では、対流によって、暖かい空気は上方に、冷たい空気（冷気）は下方に向かって流れるため、机の背面や両脇の側面部位の床面との開口部から、冷気が流入出し、机の脚収容空間部内における足元等が冷やされていること、また、特に、この開口部の床面近傍、すなわち床面から足首辺りまでの高さの開口部からの冷気の流入出（冷気の流れ）を防ぐだけでも、冷えに対する体感温度を著しく改善できること、そして、上記机の開口部の一部である床面近傍又はその全部を幕板若しくは垂幕で遮蔽することにより、この冷気の流れを容易に防止できることの新知見を得、これらの知見に基づいて本発明を完成するに至った。
【０００７】  すなわち、本発明の机は、机の背面及び両脇側面の少なくとも１の部位の床面との間に開口部を有する机において、この各開口部の床面を基点とする上方向の一部又は全部を遮蔽する昇降若しくは着脱自在の幕板若しくは垂幕を設けてなるものである。
上記構成により、冬季の暖房室内等において、机の脚収容空間部内の冷気の流れが防止される作用を有する。
そして、夏季の冷房室内等では、上記の昇降又は着脱自在に垂設された幕板若しくは垂幕を上方に引き上げたり、巻き上げたり、さらには、取り外したりすることにより、机の脚収容空間部内の冷気の流れを妨げることなく、足元等の良好な環境を維持することができる。
【０００８】  また、本発明の机の好適形態は、机の開口部を遮蔽する上記幕板又は垂幕が可撓性材料からなるものである。
上記構成により、冬季の暖房室内等でのデスクワーク時等において、足等が垂設された幕板又は垂幕に当たっても、それらが可撓性材料であるため、衝撃を吸収し、冷気の流れを防いだ状態が維持できる。
【０００９】  更に、本発明の机の他の好適形態は、上記開口部の床面を基点とする上方向１５〜５０ｃｍを遮蔽する幕板又は垂幕を設けてなるものである。
上記構成により、冬季の暖房室内等において、机の脚収容空間部内での床面から足首辺りまでの冷気の流れを効果的に防ぐことができる。
【００１０】  また、本発明の幕板又は垂幕は、机の背面及び両脇側面の少なくとも１の部位の床面との間に開口部を有する机において、この各開口部の床面を基点とする上方向の一部又は全部を遮蔽するものである。
更に、本発明の幕板又は垂幕の好適形態は、可撓性材料からなるものである。
更にまた、本発明の幕板又は垂幕の他の好適形態は、上記開口部の床面を基点とする上方向１５〜５０ｃｍを遮蔽するものである。
これら上記構成による本発明の幕板又は垂幕は、机に容易に取り付け又は配置することができ、そして、冬季の暖房室内等での冷気の流れを防ぐことができるものである。
【発明の効果】
【００１１】  上記したように、本発明の机は、冬季の暖房室内等における机の脚収容空間部内、特に足首辺りの冷気の流れを効果的に防いで、デスクワーク時等では、電気等のエネルギーを消費することなく、足元等の冷えが防止でき、更に、冷えに対する体感温度を改善することができる。
また、本発明の開口部からの冷気の流入出（冷気の流れ）を防ぐための幕板又は垂幕は、机に容易に取付け又は配置することができ、そして、夏季の冷房室内等においては、これを机の側面に沿って引き上げたり、巻き上げたり等して上昇させ、あるいは取り外すことにより、足元等の冷気の流れを妨げないようにすることができる。
【発明を実施するための最良の形態】
【００１２】  以下、本発明について、図面を参照しつつ、更に詳細に説明する。
先ず、本発明の机としては、上記したごとく、椅子に腰を掛けてデスクワーク等を行う際に使用する、例えば、事務机、学習机、作業机等が挙げられる。【００１３】  そして、本発明における机の背面及び両脇側面の部位の床面との間の開口部（以下、「床面との間の開口部」を単に「開口部」ということもある。）について、代表的な机を図１に例示して説明する。すなわち、例えば、机の背面からの概略斜視図である図１において、机の背面部位の開口部とは、机１の天板２の下面に一段引出収納部３と、一方の脇の天板を支持する２本の脚５と他方の脇にその下面を２本の脚５’で支持された複数段引出収納部４とを備えた机の場合には、机１の背面の一段引出収納部３の下端部とこれに対向する床面（一点鎖線部分、以下同じ）との間の部分６、又は、この部分６に複数段引出収納部４の下端部とこれに対向する床面との間の部分６’を加えた部分をいう。
また、机の一方の脇の側面部位の開口部とは、一段引出収納部３の下端部とこれに対向する床面との間の部分７をいい、他方の脇の側面部位の開口部とは、複数段引出収納部４の内側面（机の脚収容空間部側）の下端部とこれに対向する床面との間の部分８、又は、この複数段引出収納部４の外側面の下端部とこれに対向する床面との間の部分８’をいう。【００１４】  なお、机の構造によっては、開口部が必ずしも明確でない場合がある。例えば、図１における机の一方の脇の側面部位の両端部の２本の脚５の代わりに、該側面部位の中央に１本の脚があるような机等の場合であるが、このときには、机の天板の両角に２本の脚があると想定して形成される部分を開口部とすればよい。
また、上記した机の脚収容空間部とは、一段引出収容部３の下面とこれに対向する床面、背面部位の開口部６とこれに対向する机正面部位の開口部（図示せず）、一方の脇の側面部位の開口部７とこれに対向する複数段引出収納部４の内側面及び開口部８の計６面で囲まれた空間部をいう。【００１５】  更に、幕板又は垂幕で仕切る空間は、その目的からしてもできるだけ小空間が好ましいことから、上記図１に示した例の場合には、開口部６、６’、７及び８’を遮蔽するのではなく、机の脚収容空間部に面する開口部６、７及び８を遮蔽するのが好適である。
そして、図１の例示では、机の背面及び両脇側面の３部位と床面との間に開口部を有するものであるが、本発明においては、これらの部位のうち、少なくとも１の部位に開口部を有する机について適用され、例えば、該開口部が背面の１部位のみにあるもの、両脇の側面の一方又は両方の部位にあるもの、更には、これらの組み合わせたもの等が挙げられる。
また、上記各開口部の面積は、机の構造等によって種々異なるが、これについては何ら制限されない。【００１６】  上記したごとく、冬季の暖房室内等においては、対流によって、暖かい空気は上方に、冷たい空気は下方に向かって流れるが、机の背面や両脇側面の部位に開口部を有すると、これらの開口部同士間や、さらにはこれらと机の脚収容空間部の手前開口部との間での冷気の流れにより、デスクワーク時等の足元等、特に足首辺りの冷えを強く感じる。
本発明においては、この冷気の流れを防ぐために、上記の各開口部の床面を基点とする上方向を幕板又は垂幕で遮蔽するのであるが、その場合、各開口部の全部、特に机の脚収容空間部に面する開口部の全部を遮蔽するのが最も好ましい。【００１７】  更に、コスト面からは、開口部の遮蔽する床面からの高さをできるだけ小とすることが好ましく、このことから、開口部の床面を基点とする上方向の一部、例えば、床面近傍、すなわち足首辺りまでの高さ（脚を組んだ場合のこと等も考慮すると、例えば、床面から上方向に１５〜５０ｃｍの高さ）を遮蔽することによっても、その目的を達成することができる。
更にまた、幕板又は垂幕による開口部の遮蔽については、いずれの開口部も床面を基点とする上方向の高さを同じとしてもよく、また、各開口部の高さを勘案して別々に設定してもよい。【００１８】  本発明の机における冬季の暖房室内等での冷気の流れを防ぐための幕板又は垂幕は、夏季の冷房室内等では、逆効果となるため、夏季には、これを上方向に引き上げたり、巻き上げたり、さらには取り外しができるように机の開口部に昇降又は着脱自在に設けられる。
幕板又は垂幕の材料としては、空気の流れを遮断するものであれば特に制限されないが、机の使用時に足が当たることもあること等を考慮すると、可撓性材料、例えば、軟質樹脂、合成ゴム、発泡スチロール、布、紙、ダンボール板等が好適である。【００１９】  そして、この幕板又は垂幕の机の開口部への設置方法は、この幕板又は垂幕が昇降又は着脱自在であれば、特に制限されず、適宜の方法が用いられる。この設置方法について例示すれば、これらの幕板又は垂幕の上端部を金属、プラスチックス等の支持部材で支持し、この支持部材を机の適当位置に設けたフックに掛けて垂設する方法（フックを２段に設けることにより、冬季と夏季とで使い分けが可能となり、また、垂幕の場合は、夏季の不使用時には、支持部材に巻き上げて畳み込むこともできる。）、上記支持部材に磁石を取り付け、これを机の金属部分に磁石留めする法、幕板又は垂幕の上端部を机の適宜箇所にマジックテープ等で取り付ける方法等が挙げられる。
なお、、机に強度補強部材、あるいは、それを兼ねた足置き部材等が設けてある場合の幕板又は垂幕の設置方法は、この点を考慮して適宜選択すればよい。【００２０】  更には、幕板又は垂幕で衝立を形成し、この衝立を開口部の床面に単に置く方法、あるいは、この衝立の一部を机の適当箇所に仮留めして固定する方法等も本発明における着脱自在の設置方法の一例として挙げることができ、そして、この場合には、必要により、この衝立の上端部に幕板又は垂幕を引き上げたり、巻き上げたりすることができるようにしてもよい。
この衝立方式の場合には、開口部の数によって、一字状、Ｌ字状、コ字状等の衝立で、開口部が遮蔽でき、また、夏季には簡単に取り外すことができ、更に、上記したごとく、机の脇の側面部位の両端に机の脚がないような構造のとき等でも設置が容易であり、好適である。
また、幕板又は垂幕は、その使用時にその横端部、すなわち開口部間の境目が開放状態になるのを防ぐために、その横端部同士をファスナー、面ファスナー等で連結するのが好ましく、また、幕板又は垂幕が複数の開口部にわたる場合は、一体ものとしてもよい。
なお、上記のごとく、机に強度補強部材、あるいは、それを兼ねた足置き部材等が設けてある場合には、この点を考慮し、開口部に合致した形状の幕板又は垂幕とすればよい。【００２１】  本発明の幕板又は垂幕は、冬季の暖房室内等において、机の開口部での冷気の流れを遮断し、机の使用時の足元等、特に足首辺りの冷えを防止するものとして、必要により、支持部材等と共に、製品化することができる。この場合、幕板又は垂幕は、現場合わせで裁断できるような材料とすることもできる。
なお、本発明において、金属製の机の場合には、冬季では脚収容空間部に面している部分を適宜の断熱材で被覆することにより、この脚収容空間部内での空気の冷却を防ぐにとができ、足元等の冷え防止にも有効である。
以下に実施例を示す。
【実施例】
【００２２】（実施例１）
図２は、図１に示したと同様の机の背面及び両脇側面の部位の開口部の一部に幕板を設けた机を示している。
図２（ａ）の机の背面図、図２（ｂ）の正面図及び図２（ｃ）の左側面図において、机１１の背面の一段引出収納部１３の下端部とこれに対向する床面Ｆとの間の開口部１６、机１１の一方の脇の側面部位の一段引出収納部１３の下端部とこれに対向する床面Ｆとの間の開口部１７及び他方の脇の側面部位の複数段引出収納部１４の内側面（脚収容空間部側）下端部とこれに対向する床面Ｆとの間の開口部１８の計３つの開口部につき、その床面Ｆを基点とする上方向の床面Ｆ近傍（床面より上方向２５ｃｍまでの開口部）をウレタンフォーム製幕板１９ａ、１９ｂ、１９ｃで遮蔽した。
なお、各幕板は、その上端部を支持部材（図示せず）で支持し、これを机にフック掛け（図示せず）して取り付け、また、各幕板の横端部の境目は、面ファスナー（マジックテープ：（株）クラレ商品名）で連結した。【００２３】  この机１１は、冬季の暖房室内において、冷気の流れが遮断されて、デスクワーク時等の足首辺りの冷えが顕著に防止された。
なお、夏季の冷房時期には、これらの板幕１９ａ、１９ｂ、１９ｃを引き上げて別に設けた上方のフックに掛け、冷気の流れを妨げないようにした。【００２４】（実施例２）
図３（ａ）の机の背面図、図３（ｂ）の正面図及び図３（ｃ）の左側面図において、金属製の机２１の背面のカバー２０の下端部とこれに対向する床面Ｆとの間の開口部（図示しないが、後記幕板２９ａを設けた部分に相当）、机２１の両脇のそれぞれの複数段引出収納部２４ａ、２４ｂの内側面（脚収容空間部側）下端部とそれぞれに対向する床面Ｆとの間の開口部２７、２８の計３つの開口部につき、その床面Ｆを基点とする上方向の全部（床面より上方向２０ｃｍの高さ）をウレタンフォーム製幕板２９ａ、２９ｂ、２９ｃで遮蔽した。
なお、開口部への幕板の設置方法は、支持部材（図示せず）に幕板を張って衝立を作製し、これを開口部の床上にコ字状に置く方法を採用し、また、各幕板の横端部の境目は、面ファスナーで連結した。【００２５】  この机２１は、冬季の暖房室内において、冷気の流れが遮断されて、デスクワーク時等の足元等の冷えが顕著に防止された。
なお、夏季の冷房時期には、この板幕２９ａ、２９ｂ、２９ｃの衝立を取り除き、冷気の流れを妨げないようにした。【００２６】（実施例３）
図４（ａ）の机の背面図、図４（ｂ）の正面図及び図４（ｃ）の左側面図において、机３１の背面及び両脇側面の一段引出収納部３３の下端部と、夫々に対向する床面Ｆとの間の計３つの開口部（図示しないが、机３１の背面及び両脇側面の３部位の開口部で、後記垂幕３９ａ、３９ｂ、３９ｃを設けた部分に相当）につき、その床面Ｆを基点とする上方向の全部をネオプレンゴム製垂幕３９ａ、３９ｂ、３９ｃで遮蔽した。
なお、各垂幕は、その上端部を支持部材（図示せず）で支持し、これを各開口部の上方部に取り付けし、また、各垂幕の横端部の境目は、ファスナーで連結した。
この机３１は、冬季の暖房室内において、冷気の流れが遮断されて、デスクワーク時等の足元等の冷えが顕著に防止された。
なお、夏季の冷房時期には、これらの垂幕３９ａ、３９ｂ、３９ｃを上方に巻き上げて紐止めし、冷気の流れを妨げないようにした。【００２７】（実施例４）
図５は、机の開口部に設けるフェルト等の可撓製材料からなるコ字状とした幕板又は垂幕の概略斜視図である。同図において、幕板又は垂幕４９ａ、４９ｂ、４９ｃは、必要により、その上端部、両横端部、下端部等が支持部材Ｓａ、Ｓｂ、Ｓｃで支持され、それらの横端部は面ファスナー等（図示せず）によってコ字状に互いに連結されているものである。
そして、この幕板又は垂幕４９ａ、４９ｂ、４９ｃは、机の開口部の適当位置にフック掛けしたり、磁石留めしたり、衝立方式で配置したりして昇降自在又は着脱自在に机に取り付けられる。
このことによって、冬季の暖房室内等での脚収容空間部の冷気の流れを遮断することができ、また、夏季の冷房室内等では、机の脚収容空間部の冷気の流れを妨げないように、この幕板又は垂幕４９ａ、４９ｂ、４９ｃは、上方に引き上げたり、巻き上げたり、さらには、取り除いたりする。
【図面の簡単な説明】
【００２８】
【図１】は、机の背面及び両脇側面の部位の開口部を説明するための机の背面からの概略斜視図である。
【図２】は、本発明の机の１実施例を示すもので、（ａ）は背面図、（ｂ）は正面図、（ｃ）は左側面図である。
【図３】は、本発明の机の他の実施例を示すもので、（ａ）は背面図、（ｂ）は正面図、（ｃ）は左側面図である。
【図４】は、本発明の机の更に他の実施例を示すもので、（ａ）は背面図、（ｂ）は正面図、（ｃ）は左側面図である。
【図５】は、本発明の幕板又は垂幕の実施例を示す概略斜視図である。
【符号の説明】
【００２９】１、１１、２１、３１  机
２、１２、２２、３２  天板
３、１３、２３、３３  一段引出収納部
４、１４、２４ａ、２４ｂ  複数段引出収納部
５、１５、３５  脚
６、１６  背面の開口部
７、１７、２７  左脇側面の部位の開口部
８、１８、２８  右脇側面内側（脚収納空間部側）の部位の開口部
１９ａ、２９ａ、３９ａ、４９ａ  幕板又は垂幕
１９ｂ、２９ｂ、３９ｂ、４９ｂ  幕板又は垂幕
１９ｃ、２９ｃ、３９ｃ、４９ｃ  幕板又は垂幕
Ｆ  床面
【図１】
2005288095.tif 000003
【図２】
2005288095.tif 000004
【図３】
2005288095.tif 000005
【図４】
2005288095.tif 000006
【図５】
2005288095.tif 000007